(57)【要約】【課題】鏡筒の内部への摩耗粉の侵入を抑制または防止することによって、画像の質を維持し、品質のよい撮像装置を提供する。【解決手段】鏡筒１２の軸方向端部外周にテーパー部１２ｂを雄ねじ部１２ａに隣接して形成する。鏡筒１２の外周に形成された雄ねじ部１２ａとレンズホルダ１４の雌ねじ部１４１ｂとが螺合して摩耗により摩耗粉が生じたとしても、テーパー部１２ｂにより、鏡筒１２の内部に摩耗粉が侵入することを抑制または防止することができる。【選択図】  図１
2007104442.tif 000002
【特許請求の範囲】
【請求項１】
基板上に配置され、レンズにより結像された被写体像を撮像する撮像素子と、
前記レンズを保持するとともに、内周に雌ねじ部が形成された筒状のレンズホルダと、
前記撮像素子を囲むように軸方向一端部が前記基板上に配置されるとともに、軸方向他端部外周に雄ねじ部が形成され当該雄ねじ部に前記雌ねじ部が螺合されて前記レンズホルダが固定される鏡筒とを備えた撮像装置であって、
前記鏡筒の前記軸方向他端部外周には、前記雄ねじ部よりも先端側にその先端に向けて縮径するテーパー部が形成されていることを特徴とする撮像装置。
【請求項２】
基板上に配置され、レンズにより結像された被写体像を撮像する撮像素子と、
前記レンズを保持するとともに、内周に雌ねじ部が形成された筒状のレンズホルダと、
前記撮像素子を囲むように軸方向一端部が前記基板上に配置されるとともに、軸方向他端部外周に雄ねじ部が形成され当該雄ねじ部に前記雌ねじ部が螺合されて前記レンズホルダが固定される鏡筒とを備えた撮像装置であって、
前記レンズホルダには、前記雌ねじ部と前記雄ねじ部との螺合部分に接着剤を注入するための開口部が形成されていることを特徴とする撮像装置。
【請求項３】
前記鏡筒の前記軸方向他端部外周には、前記雄ねじ部よりも先端側にその先端に向けて縮径するテーパー部が形成されていることを特徴とする請求項２に記載の撮像装置。
【発明の詳細な説明】
【技術分野】
【０００１】
本発明は撮像装置に関する。
【背景技術】
【０００２】
近年、微小なカメラを搭載した携帯電話やノート型パーソナルコンピュータ等の携帯用電子機器が広く普及している。このような携帯用電子機器に搭載するカメラに用いられる撮像装置として、例えば特許文献１に開示されたものがある。
【０００３】
この特許文献１に開示された撮像装置は、レンズを保持する筒状のレンズホルダと、このレンズホルダを支持する鏡筒と、レンズからの結像された被写体像を撮像すべくレンズに対向して設けられるとともに、基板に搭載された撮像素子とを有する。
【０００４】
この撮像装置では、レンズホルダを回転させてレンズホルダの雄ねじ部と鏡筒の雌ねじ部とを螺合させながら、レンズと撮像素子の受光面との間の距離を調整して、焦点合わせを行って、レンズホルダを鏡筒に固定する。
【特許文献１】特開２００２−３１４８５６号公報
【発明の開示】
【発明が解決しようとする課題】
【０００５】
しかしながら、上述した撮像装置のように、レンズホルダを鏡筒に固定する場合に、レンズホルダの雄ねじ部と鏡筒の雌ねじ部との螺合により摩耗が起こり、摩耗粉が生じることがある。このような摩耗粉が、例えば振動等によって鏡筒の内部に侵入して撮像素子や光学フィルタの上に落ちてしまうと、画像の質が低下してしまい、不良品となってしまう場合があった。
【０００６】
本発明は、上記実情に鑑みてなされたもので、鏡筒の内部への摩耗粉の侵入を抑制または防止することによって、画像の質を維持し、品質のよい撮像装置を提供することを目的とする。
【課題を解決するための手段】
【０００７】
上記目的を達成するため、本発明の撮像装置は、
基板上に配置され、レンズにより結像された被写体像を撮像する撮像素子と、
前記レンズを保持するとともに、内周に雌ねじ部が形成された筒状のレンズホルダと、
前記撮像素子を囲むように軸方向一端部が前記基板上に配置されるとともに、軸方向他端部外周に雄ねじ部が形成され当該雄ねじ部に前記雌ねじ部が螺合されて前記レンズホルダが固定される鏡筒とを備えた撮像装置であって、
前記鏡筒の前記軸方向他端部外周には、前記雄ねじ部よりも先端側にその先端に向けて縮径するテーパー部が形成されていることを特徴とする。
【０００８】
また、上記目的を達成するため、本発明の他の撮像装置は、
基板上に配置され、レンズにより結像された被写体像を撮像する撮像素子と、
前記レンズを保持するとともに、内周に雌ねじ部が形成された筒状のレンズホルダと、
前記撮像素子を囲むように軸方向一端部が前記基板上に配置されるとともに、軸方向他端部外周に雄ねじ部が形成され当該雄ねじ部に前記雌ねじ部が螺合されて前記レンズホルダが固定される鏡筒とを備えた撮像装置であって、
前記レンズホルダには、前記雌ねじ部と前記雄ねじ部との螺合部分に接着剤を注入するための開口部が形成されていることを特徴とする。
【０００９】
この場合、前記鏡筒の前記軸方向他端部外周には、前記雄ねじ部よりも先端側にその先端に向けて縮径するテーパー部が形成されていることが好ましい。
【発明の効果】
【００１０】
本発明によれば、鏡筒の内部への摩耗粉の侵入を抑制または防止することによって、画像の質を維持し、品質のよい撮像装置を提供することができる。
【発明を実施するための最良の形態】
【００１１】
本発明の実施の形態に係る撮像装置について、以下図面を参照して説明する。
【００１２】
(実施形態１)
本発明の実施形態１に係る撮像装置１は、図１に示すように、基板１１上に配置された撮像素子(画像センサ)１０と、基板１１上に立設された鏡筒(ベース)１２と、レンズ１３を保持する筒状のレンズホルダ１４とを備えている。なお、図中、光学フィルタや絞り等は省略されている。
【００１３】
撮像素子１０は、レンズ１３により結像された被写体像を撮像して電気信号に変換するものである。撮像素子１０は、例えばＣＣＤ(Charge Coupled Device)型イメージセンサ、ＣＭＯＳ(Complementary Metal Oxide Semiconductor)型イメージセンサ等により構成される。撮像素子１０は、所定の配線パターンが形成された基板１１に、例えばワイヤボンディング等で電気的に接続されるとともに、固定されている。
【００１４】
なお、基板１１は、例えば、携帯機器の本体回路基板のソケット部に嵌合されて、本体回路基板に導通される。
【００１５】
鏡筒１２は、レンズホルダ１４を支持するものである。鏡筒１２は、軸方向一端部が基板１１に接着して立設されて、基板１１上の鏡筒１２の中央の位置に撮像素子１０が配置される。すなわち、鏡筒１２は撮像素子１０を囲むように軸方向一端部が基板１１上に配置される。
【００１６】
鏡筒１２の外周には、基板１１への接着側と反対の軸方向他端部にレンズホルダ１４と螺合するための雄ねじ部１２ａが形成されているとともに、雄ねじ部１２ａよりも先端側にその先端に向けて縮径するテーパー部１２ｂが雄ねじ部１２ａに隣接して形成されている。すなわち、テーパー部１２ｂの斜面は、雄ねじ部１２ａがある外周に向かって下がっている。テーパー部１２ｂの斜面は、雄ねじ部１２ａとレンズホルダ１４の支持部材１４ｂの雌ねじ部１４１ｂとが螺合する際に生じる摩耗紛が鏡筒１２の内部に侵入するのを抑制、防止するために形成されている。
【００１７】
テーパー部１２ｂの斜面の勾配は大きいほど、鏡筒１２の内部への摩耗紛の侵入を抑制、防止する効果は大きくなる。
【００１８】
レンズ１３は、被写体の光学画像を集光するものであり、光学特性の向上や光学モジュールの小型化などを考慮して設計されている。
【００１９】
レンズホルダ１４は、鏡筒１２に固定されることにより、レンズ１３を撮像素子１０に対して適切な位置に配置させるものである。レンズホルダ１４は、レンズ１３を直接保持するレンズ保持部材１４ａと、レンズ保持部材１４ａを支持する支持部材１４ｂとにより構成されている。
【００２０】
レンズ保持部材１４ａは、レンズ１３が嵌められて保持される円筒部１４１ａと、フランジ部１４２ａと、つまみ部１４３ａと、レンズ１３へと光学画像を集光させるための開口孔１４４ａとが一体に形成されて構成されている。
【００２１】
支持部材１４ｂは、円筒状をなし、支持部材１４ｂには、内周に鏡筒１２の雄ねじ部１２ａと螺合する雌ねじ部１４１ｂと、被写体像側にレンズ保持部材１４ａを圧入するための圧入部１４２ｂとが形成されている。
【００２２】
この撮像装置１においては、レンズホルダ１４をレンズ保持部材１４ａと支持部材１４ｂとで別体で構成しているために、鏡筒１２にレンズホルダ１４を固定するのに、レンズ１３と撮像素子１０の受光面との間の距離を調整して焦点合わせできるだけではなく、撮像素子１０に対するレンズ１３の光軸を中心とした回転方向の位置を調整することもできる。
【００２３】
すなわち、この撮像装置１において、鏡筒１２にレンズホルダ１４を固定するには、レンズホルダ１４の支持部材１４ｂの雌ねじ部１４１ｂを鏡筒１２の雄ねじ部１２ａに螺合させながら、レンズ１３と撮像素子１０の受光面との間の距離を調整することにより、焦点合わせを行い、また、レンズ１３の光軸を中心としたレンズ保持部材１４ａの回転方向の位置を調整して、レンズ保持部材１４ａを支持部材１４ｂの圧入部１４２ｂに圧入する。このように撮像素子１０に対するレンズ１３の光軸を中心とした回転方向の位置を調整することにより、最適な解像度の画像を得ることができる。
【００２４】
なお、レンズ保持部材１４ａを支持部材１４ｂの圧入部１４２ｂに圧入することにより、レンズ１３の光軸と垂直方向のレンズ保持部材１４ａと支持部材１４ｂとの位置合わせは行われる。
【００２５】
このように本実施の形態では、鏡筒１２の基板１１への接着側と反対の軸方向端部外周であって、雄ねじ部１２ａよりも先端側にその先端に向けて縮径するテーパー部１２ｂを形成したので、鏡筒１２の外周に形成された雄ねじ部１２ａとレンズホルダ１４の雌ねじ部１４１ｂとが螺合して摩耗により摩耗粉が生じたとしても、テーパー部１２ｂにより、摩耗粉が鏡筒１２の内部に侵入することを抑制または防止することができる。よって、画像の質を維持することが可能となり、品質のよい撮像装置１０を実現することができ、不良品の発生を軽減、防止することができる。
【００２６】
(実施形態２)
本発明の実施形態２に係る撮像装置の構成の一例が図２および図３に示されている。以下、実施形態１と構成が異なる点についてのみ説明し、その他の構成については実施形態１と同様であるので図面中に同一の符号を付して説明を省略する。
【００２７】
撮像装置２においては、レンズ保持部材１４ａのフランジ部１４５ａには、鏡筒１２の雄ねじ部１２ａとレンズホルダ１４の雌ねじ部１４１ｂとの螺合部に接着剤２０を注入するための４つの開口部１４６ａが周方向に等間隔で形成されている。接着剤２０は、鏡筒１２にレンズホルダ１４を固定する際に鏡筒１２の雄ねじ部１２ａとレンズホルダ１４の雌ねじ部１４１ｂとが螺合して摩耗により生じた摩耗粉を固定するために、図３に示すように、鏡筒１２とレンズホルダ１４との螺合部分に流し込まれる。なお、接着剤２０は開口部１４６ａを通して埃等が鏡筒１２の内部に侵入することがないように鏡筒１２とレンズホルダ１４との間に充填される。
【００２８】
なお、鏡筒１２のレンズホルダ１４側の端部１２ｃの形状は平面となっている。
【００２９】
本実施の形態では、鏡筒１２にレンズホルダ１４を固定する際に鏡筒１２とレンズホルダ１４とが螺合することにより生じた摩耗粉を、開口部１４６ａを通じて注入した接着剤２０により固めてしまうようにしたので、振動が生じても摩耗粉が鏡筒１２の内部に侵入することがなく、鏡筒１２の内部への摩耗粉の侵入をより確実に抑制または防止することができる。
【００３０】
(実施形態３)
本発明の実施形態３に係る撮像装置の構成の一例が図４および図５に示されている。以下、実施形態２と構成が異なる点についてのみ説明し、その他の構成については実施形態２と同様であるので図面中に同一の符号を付して説明を省略する。
【００３１】
撮像装置３においては、鏡筒１２の外周には、基板１１への接着側と反対の軸方向他端部であって、雄ねじ部１２ａよりも先端側にその先端に向けて縮径するテーパー部１２ｂが雄ねじ部１２ａに隣接して形成されている。
【００３２】
本実施の形態では、鏡筒１２にレンズホルダ１４を固定する際に鏡筒１２とレンズホルダ１４とが螺合することにより生じた摩耗粉を固めるために、開口部１４６ａを通じて接着剤２０を注入する際に、テーパー部１２ｂの斜面によって接着剤２０が鏡筒１２の内部に流れ込んでしまうことを防止することができる。なお、この場合にも、接着剤２０は開口部１４６ａを通して埃等が鏡筒１２の内部に侵入することがないように鏡筒１２とレンズホルダ１４との間に充填される。
【００３３】
よって、実施形態２におけるよりも、接着剤２０の螺合部への注入を容易に行うことができる。
【００３４】
以上、実施形態を挙げて本発明を説明したが、本発明は上記各実施形態に限定されるものではなく、種々変形が可能である。例えば上記各実施形態では、レンズ１３を１枚保持するレンズホルダ１４について説明したが、レンズを２枚以上保持するレンズホルダであっても本発明は適用可能である。
【００３５】
また、上記各実施形態では、レンズホルダ１４がレンズ保持部材１４ａ及び支持部材１４ｂにより構成される例について説明したが、レンズホルダは一体に形成されたものであってもよい。
【００３６】
また、上記実施形態２及び実施形態３においては、接着剤２０を注入する開口部１４６ａを４つ形成する例について説明したが、開口部１４６ａの数は４つに限らず、１つ以上３つ以下であってもよいし、５つ以上であってもよい。また、接着剤２０として粘着性を有するものを用いれば、接着剤２０によって埃等を捕捉することができ、鏡筒１２の内部への埃等の侵入を防止することができる。
【図面の簡単な説明】
【００３７】
【図１】(Ａ)は本発明の実施形態１に係る撮像装置の構成を表す平面図であり、(Ｂ)は(Ａ)のＡ−Ａ’線での矢視断面図である。
【図２】(Ａ)は本発明の実施形態２に係る撮像装置の構成を表す接着剤を注入する前の平面図であり、(Ｂ)は(Ａ)のＢ−Ｂ’線での矢視断面図である。
【図３】(Ａ)は本発明の実施形態２に係る撮像装置の構成を表す平面図であり、(Ｂ)は(Ａ)のＣ−Ｃ’線での矢視断面図である。
【図４】(Ａ)は本発明の実施形態３に係る撮像装置の構成を表す接着剤を注入する前の平面図であり、(Ｂ)は(Ａ)のＤ−Ｄ’線での矢視断面図である。
【図５】(Ａ)は本発明の実施形態３に係る撮像装置の構成を表す平面図であり、(Ｂ)は(Ａ)のＥ−Ｅ’線での矢視断面図である。
【符号の説明】
【００３８】
１          撮像装置
１０        撮像素子
１２        鏡筒
１２ａ      雄ねじ部
１２ｂ      テーパー部
１３        レンズ
１４        レンズホルダ
１４ａ      レンズ保持部材
１４１ａ    円筒部
１４２ａ，１４５ａ  フランジ部
１４６ａ    開口部
１４ｂ      支持部材
１４１ｂ    雌ねじ部
１４２ｂ    圧入部
２０        接着剤
【図１】
2007104442.tif 000003
【図２】
2007104442.tif 000004
【図３】
2007104442.tif 000005
【図４】
2007104442.tif 000006
【図５】
2007104442.tif 000007